(57)【要約】本発明は、データキャリア（２２）を読み取ることが可能な記録及び／又は再生装置（２０）と、このデータキャリア（２２）に関する付加のデータ（１１）を有する遠隔ユニット（１０）とを有する通信システムに関する。記録及び／又は再生装置（２０）と、遠隔ユニット（１０）とは、ネットワーク（３０）を介して通信する。この遠隔ユニット（１０）は、記録及び／又は再生装置（２０）に挿入されたデータキャリア（２２）から、このデータキャリアの特性（２３）を取り出すことが可能であると共に、付加のデータ（１１）を記録及び／又は再生装置（２０）に送信する前に、上記の特性（２３）を、プロバイダにより合法的に製作された対応するデータキャリアの特性と比較することによって、このデータキャリア（２２）を認証することが可能である。
2005536822.tif 000002
【特許請求の範囲】
【請求項１】
データキャリアを読み取ることが可能な記録及び／又は再生装置と、前記データキャリアに関する付加のデータを有する遠隔ユニットとの間において、ネットワークを介して行われる通信方法であって、
−前記記録及び／又は再生装置に挿入された前記データキャリアから、前記データキャリアの特性を抽出するステップと、
−前記特性を前記遠隔ユニットに送信するステップと、
−前記付加のデータを前記記録及び／又は再生装置に送信する前に、前記特性を、プロバイダにより合法的に製作された対応するデータキャリアの特性と比較することによって、前記データキャリアを認証するステップと、
を含む通信方法。
【請求項２】
前記データキャリアの前記特性が、前記データキャリアのコントロールデータゾーンに書き込まれる、請求項１に記載の通信方法。
【請求項３】
前記遠隔ユニットが、認証されていないデータキャリアを収容する前記記録及び／又は再生装置から、予め決められたしきい値より大きい回数のリクエストを受け取る場合、前記記録及び／又は再生装置をブラックリストに載せるステップを更に含む、請求項１に記載の通信方法。
【請求項４】
前記遠隔ユニットが、前記データキャリアの前記特性の関数として、種々の異なるタイプの付加のデータを送信することができる、請求項１に記載の通信方法。
【請求項５】
データキャリアを読み取ることが可能な記録及び／又は再生装置と、前記データキャリアに関する付加のデータを有する遠隔ユニットとを有し、前記記録及び／又は再生装置及び前記遠隔ユニットがネットワークを介して通信する、通信システムであって、
前記遠隔ユニットが、前記記録及び／又は再生装置に挿入された前記データキャリアから、前記データキャリアの特性を取り出すことが可能であると共に、前記付加のデータを前記記録及び／又は再生装置に送信する前に、前記特性を、プロバイダにより合法的に製作された対応するデータキャリアの特性と比較することによって、前記データキャリアを認証することが可能である、通信システム。
【請求項６】
データキャリアを読み取ることが可能な記録及び／又は再生装置と通信するための遠隔ユニットであって、
前記データキャリアに関する付加のデータと、
前記記録及び／又は再生装置に挿入された前記データキャリアから、前記データキャリアの特性を取り出す手段と、
前記付加のデータを前記記録及び／又は再生装置に送信する前に、前記特性を、プロバイダにより合法的に製作された対応するデータキャリアの特性と比較することによって、前記データキャリアを認証する手段と、
を有する遠隔ユニット。
【請求項７】
データキャリアを読み取ることが可能であると共に、前記データキャリアに関する付加のデータを有する遠隔ユニットと通信することが可能である、記録及び／又は再生装置であって、
当該記録及び／又は再生装置に挿入された前記データキャリアから、前記データキャリアの特性を抽出する手段と、前記特性を前記遠隔ユニットに送信する手段と、を有する記録及び／又は再生装置。
【請求項８】
コンピュータプログラムがプロセッサによって実行される場合、データキャリアを読み取ることが可能な記録及び／又は再生装置と、前記データキャリアに関する付加のデータを有する遠隔ユニットとの間において、ネットワークを介して行われる通信方法を実施するためのプログラム命令を有するコンピュータプログラムであって、前記通信方法が、
−前記記録及び／又は再生装置に挿入された前記データキャリアから、前記データキャリアの特性を抽出するステップと、
−前記特性を前記遠隔ユニットに送信するステップと、
を含む、コンピュータプログラム。
【請求項９】
コンピュータプログラムがプロセッサによって実行される場合、データキャリアを読み取ることが可能な記録及び／又は再生装置と、前記データキャリアに関する付加のデータを有する遠隔ユニットとの間において、ネットワークを介して行われる通信方法を実施するためのプログラム命令を有するコンピュータプログラムであって、前記通信方法が、
−前記記録及び／又は再生装置に挿入された前記データキャリアから、前記データキャリアの特性を取り出すステップと、
−前記付加のデータを前記記録及び／又は再生装置に送信する前に、前記特性を、プロバイダにより合法的に製作された対応するデータキャリアの特性と比較することによって、前記データキャリアを認証するステップと、
を含む、コンピュータプログラム。
【発明の詳細な説明】
【技術分野】
【０００１】
本発明は、データキャリアを読み取ることが可能な記録及び／又は再生装置と、このデータキャリアに関する付加のデータを有する遠隔ユニットとの間において、ネットワークを介して行われる通信方法に関する。
【０００２】
本発明は、特に、ＤＶＤビデオプレーヤと、インターネットネットワークを通じたウェブサイトとの間におけるデータの通信に関する。
【背景技術】
【０００３】
ＤＶＤフォーラムは、現行のＤＶＤビデオ規格の拡張版として、ウェブ接続されたＤＶＤを規格化するために、作業グループＡＨ１−１２を設立している。この原則は、新たな規格に準拠するＤＶＤビデオディスクが、この特定のＤＶＤビデオディスクに直接関係する付加のデータを有する公表者（publisher）のウェブサイトへのリンクをもって公表されることである。このウェブサイトは、例えば、元のメニューの代わりに、ＤＶＤビデオディスクを収容するＤＶＤビデオプレーヤによってダウンロードされ使用され得る、新たなナビゲーションメニューを含むことができる。
【発明の開示】
【発明が解決しようとする課題】
【０００４】
しかし、ウェブサイト上に公表されるコンテントは、全ての人によってアクセスされダウンロードされるべきではない。合法的なＤＶＤビデオディスクの所有者のみが、このコンテントにアクセスすることが可能であると共に、ディスクを再生する間に上記コンテントを使用することが可能でなければならない。
【０００５】
本発明の目的は、付加のデータを認証されたデータキャリアにのみ送信するために、記録及び／又は再生装置に挿入されたデータキャリアを認証することを可能にする通信方法を提供することにある。
【課題を解決するための手段】
【０００６】
この目的のために、本発明による通信方法は、当該通信方法が、
−記録及び／又は再生装置に挿入されたデータキャリアから、このデータキャリアの特性を抽出するステップと、
−この特性を遠隔ユニットに送信するステップと、
−付加のデータを記録及び／又は再生装置に送信する前に、上記データキャリアの特性を、プロバイダにより合法的に製作された対応するデータキャリアの特性と比較することによって、上記データキャリアを認証するステップと、
を含むことを特徴とする。
【０００７】
このような通信方法は、データキャリア、例えば、ＤＶＤビデオディスクが、合法的なコピーであるか否かを決定することが可能であり、合法的なコピーであるならば、付加のデータを、合法的なコピーを収容する記録及び／又は再生装置にのみ送信することが可能である。
【０００８】
第１の実施形態において、データキャリアの特性は、このデータキャリアのコントロールデータゾーンに書き込まれる。
【０００９】
それゆえ、これらの特性は、記録装置によって容易に変更されることはできず、大部分の再生装置によって読み取られることができる。
【００１０】
他の実施形態において、この通信方法は、遠隔ユニットが、認証されていないデータキャリアを収容する記録及び／又は再生装置から、予め決められたしきい値より大きい回数のリクエストを受け取る場合、この記録及び／又は再生装置をブラックリストに載せるステップを有する。
【００１１】
従って、この通信方法は、上記の装置が、毎回違法なデータキャリアを収容しながら、遠隔ユニットと何回も接続しようと試みる場合、所与の記録及び／又は再生装置からの更なるリクエストを拒否することができる。
【００１２】
本発明は、更に、データキャリアを読み取ることが可能な記録及び／又は再生装置と、このデータキャリアに関する付加のデータを有する遠隔ユニットとを有し、上記装置及び上記ユニットがネットワークを介して通信する、通信システムに関する。
【００１３】
本発明は、この通信システムを構成する遠隔ユニットと、記録及び／又は再生装置とにも関する。
【００１４】
本発明は、最後に、この通信方法を実施するためのプログラム命令を有するコンピュータプログラムに関する。
【００１５】
本発明のこれら及び他の態様は、本明細書の以下に説明される実施形態から明らかになると共に、これらの実施形態を参照して明瞭に説明されるであろう。
【００１６】
本発明は、例証として添付の図面を参照して、より詳細に説明されるであろう。
【発明を実施するための最良の形態】
【００１７】
本発明は、ネットワークを介して互いに接続された記録及び／又は再生装置と遠隔ユニットとの間において、データを通信する方法に関する。以下の説明において、記録及び／又は再生装置はＤＶＤビデオプレーヤであり、遠隔ユニットはウェブサイトであり、ネットワークはインターネットである。
【００１８】
しかし、当業者であれば、本発明が、より一般的に、クライアント／サーバアーキテクチャに関することは明らかであろう。クライアントサイドにあるものは、記録及び／又は再生装置であり、例えば、ＤＶＤプレーヤに組み込まれたプロトコルスタック及びインターネット接続を備えたパーソナルコンピュータＤＶＤプレーヤ若しくは家庭用ＤＶＤプレーヤ、又はＧＰＲＳ（General Packet Radio Service，一般パケットラジオサービス）方式の携帯電話若しくはＳＦＦＯ（Small Format Factor Optical，次世代小型光）ディスクを搭載した第三世代の携帯電話である。サーバサイドにあるものは、遠隔ユニットであり、これは、システム上でランするウェブ関連のサービス又はプロキシをもつコンピュータシステムである。双方のサイドを接続するネットワークは、ＴＣＰ／ＩＰプロトコル（伝送制御プロトコル／インターネットプロトコル）、例えば、ＩＰｖ４又はＩＰｖ６プロトコルに基づいた任意の種類のネットワークである。
【００１９】
図１は、本発明による通信システムを示すブロック図である。この通信システムは、データキャリア（２２）を読み取ることが可能なＤＶＤビデオプレーヤ（２０）と、このデータキャリア（２２）に関する付加のデータ（１１）を有するウェブサイト（１０）とを有している。
【００２０】
この実施例において、データキャリアはＤＶＤビデオディスクであるが、当業者であれば、本発明がＤＶＤディスクに限定されないことは明らかであろう。本発明の範囲は、一般に、読み取り専用（Read Only，リードオンリー）ディスク、記録可能（Recordable，レコーダブル）ディスク及び書き換え可能（Rewritable，リライタブル）ディスクを含む、任意の物理ディスクフォーマット（例えば、ＣＤ、ＤＶＤ、ブルーレイディスクなど）をもつ任意の媒体を含む。本発明は、一般に、種々の異なるアプリケーションフォーマット（例えば、ビデオ、オーディオ、ゲームなど）を含むディスクについて適用する。
【００２１】
公表者は、ディスクプロバイダのインプットからウェブサイトを管理する責任があり、公表者及びプロバイダが同じ人又は別々の人たちであり得る。ＤＶＤビデオプレーヤ（２０）及びウェブサイト（１０）は、インターネット（３０）を介して通信する。
【００２２】
ＤＶＤビデオディスクは、公表者のウェブサイトへのリンクを有する。このようなディスクがＤＶＤビデオプレーヤに挿入される場合、カスタマは、ローカルＤＶＤビデオを付加のデータ（１１）と組み合わせることができ、付加のデータは、この特定のＤＶＤビデオディスクに直接関係したインターネットエンハンストコンテントである。このインターネットエンハンストコンテントは、例えば、ローカルＤＶＤビデオと同期されたＤＶＤメニュー、画像、オーディオ又は字幕の新しいバージョンである。ＤＶＤディスクのプロバイダは、インターネットエンハンストコンテントを生成する。このインターネットエンハンストコンテントは、エンハンストナビゲーション（ＥＮＡＶ）コンテントとも呼ばれる。
【００２３】
本発明は、プレーヤに挿入されたディスクの予め決められたディスクの特性が、公表者のウェブサイトに対して標示されることに基づくものである。このことにより、上記ウェブサイトは、ＤＶＤビデオディスクがオリジナルであるか否かを決定することが可能になり、このＤＶＤビデオディスクがオリジナルであるならば、ＥＮＡＶコンテントへのアクセスを許可することが可能になり、このＤＶＤビデオディスクが違法なコピーであるならば、この場合は上記ウェブサイトへのアクセスがブロックされる。この予め決められたＤＶＤディスクの特性は、次に掲げる特性の中から選択される：
−ブックタイプ：読み取り専用（ＲＯ）、書き換え可能（ＲＷ）又は記録可能（Ｒ）
−ディスクサイズ：１２センチ又は８センチ
−レイヤ（層）の数：１層（ＳＬ，シングルレイヤ）、２層（ＤＬ，ダブルレイヤ）
−レイヤのタイプ：書き換え可能なユーザデータ領域を含むタイプか又は含まないタイプ
記録可能なユーザデータ領域を含むタイプか又は含まないタイプ
エンボス加工されたユーザデータ領域を含むタイプか又は含まないタイプ
−トラックパス：パラレルトラックパス（ＰＴＰ）、オポジットトラックパス（ＯＴＰ）
−ＢＣＡディスクリプタ：ディスクがＢＣＡ（Burst Cutting Area）をもつか否かを標示する記述子
−リージョン管理情報：１から６までのリージョンコード
−コピーライトのタイプ：ディスクは、ＣＳＳ暗号化されるタイプか又はＣＳＳ暗号化されないタイプ。ＤＶＤオーディオについては、ＣＰＰＭ暗号化されるタイプか又はＣＰＰＭ暗号化されないタイプ。ＲＷディスクについては、ＣＰＲＭ暗号化されるタイプか又は暗号化されないタイプ。ここで、ＣＳＳはコンテントスクランブリングシステム（Content Scrambling System）を意味し、ＣＰＲＭは記録可能な媒体に対するコンテントプロテクション（Content Protection for Recordable Media）を意味し、ＣＰＰＭは予め記録された媒体に対するコンテントプロテクション（Content Protection for Pre-Recorded Media）を意味する。
【００２４】
上記の特性は、図２に示されるディスクのリードインエリア（ＬＩＡ）のコントロールデータゾーン（ＣＤＺ）に置かれる。コントロールデータゾーンは、第１に、ブックタイプ（ＢＴ）、ディスクサイズ（ＤＳＩ）、ディスク構造（ＤＳＴ）、すなわち、層の数、層のタイプ及びトラックパス、並びにＢＣＡディスクリプタ（ＢＣＡＤ）のような物理フォーマット情報（ＰＦＩ）を有している。このコントロールデータゾーンは、第２に、コピーライトのタイプ及びリージョン管理情報のようなコンテントプロバイダ情報（ＣＰＩ）を有している。
【００２５】
これらの情報の各アイテムは、レコーダシステムによって自動的に生成されるので、記録装置は、上記に説明された特性を容易にコピーすることができない。更に、あらゆる再生装置は、これらの特性を読み取ることができる。
【００２６】
好ましい実施形態において、ウェブサイト（１０）は、プレーヤ（２０）に挿入されたＤＶＤビデオディスク（２２）から上述されたディスクの特性（２３）の幾つかを取り出す手段を有する。このウェブサイトは、更に、付加のデータ（１１）をプレーヤ（２０）へ送信する前に、上記の特性（２３）を、プロバイダにより合法的に製作された対応するＤＶＤビデオディスクの特性と比較することによって、上記のＤＶＤビデオディスク（２２）を認証する手段も有する。
【００２７】
他の実施形態において、このプレーヤは、該プレーヤ（２０）に挿入されたＤＶＤビデオディスク（２２）からディスクの特性（２３）を抽出する手段（２１）と、この特性（２３）をウェブサイト（１０）へ送信する手段（２１）とを有する。
【００２８】
以下の段落は、これらの実施形態についてより詳細な説明を与えるものである。上記に説明されたように、ＤＶＤビデオディスクは、公表者のウェブサイトへのリンク又はデフォルトＥＮＡＶコンテントへのリンクをローカルにもつ。プレーヤとウェブサイトとの間においてデータを交換するやり方は、以下のステップに従う：
−再生が始まると、プレーヤはリンクを読み取り、ウェブサイトに接続する。ウェブページはプレーヤによってダウンロードされ解釈（interpret）されるか、又はローカルデフォルトＥＮＡＶコンテントがプレーヤによってロードされ解釈される。
−ウェブページ内にある、ＸＨＴＭＬ，ＳＭＩＬ又はＥＣＭＡスクリプト言語に基づくスクリプトオブジェクトは、何らかのローレベルのアプリケーションプログラムインタフェース（ＡＰＩ）を呼び出すことによって、所要のディスクの特性を読み取るために実行される。ＥＣＭＡスクリプトオブジェクトに関して規定されるＡＰＩの一部の実施例は、
−ディスクのレイヤ情報、すなわち、ＳＬ又はＤＬを得ること、及び
−ディスクのブックタイプ、すなわち、ＲＯ、ＲＷ又はＲを得ることである。
他のオプションは、プレーヤとウェブサイトとの間の伝送プロトコルが、プレーヤに対して、予め決められた情報をウェブサイトへのリクエストに含めるように要求することである。この場合、プレーヤは、この情報を読み取り、該情報をウェブサイトへのリクエストに含める。この場合、ディスクにスクリプトを含むこと、及びプレーヤがサポートしなければならないＡＰＩを規定することは必要ではない。
−所要のディスクの特性が抽出された後、これらの特性は、安全な態様で認証を行うために公表者のウェブサイトへ送信される。例えば、以下のディスクの特性をもつＵＲＬ（Uniform Resource Locator）が生成される：
https://www.newline.com/WebDVD/Authentication?movietitle=RushHour?booktype=SL&discsize=12&regioncode=6.
この伝送プロトコルは、安全なトランザクションのために、ＳＳＬ（Secure Socket Layer）又はＨＴＴＰＳ（HyperText Transfer Protocol Secure）伝送プロトコルに基づいている。
−認証が成功する場合、例えば、あるセッションについて有効である安全な識別子ＩＤを生成することによって、許可が与えられ、プレーヤは、このセッションの間、ウェブサイトにおける他のＥＮＡＶコンテントにアクセスすることができる。しかし、これらの特性が適正でない場合、接続はウェブサイトによってリジェクトされ、プレーヤはＥＮＡＶコンテントをダウンロードすることができない。
【００２９】
従って、ウェブサイトは、ディスクが有効なオリジナルであるか否かをディスクの特性から決定することが可能である。例えば、ディスクのプロバイダが、次に述べる特性、すなわち、ＲＯ、１２ｃｍ、ＤＬ、ＰＴＰ、ＢＣＡあり、リージョンコード２（ヨーロッパ／日本）、ＣＳＳ暗号化されているタイプの特性を備えた特定のディスクを製作した場合、次に述べる特性、すなわち、ＲＷ、８ｃｍ、ＳＬ、ＯＴＰ、ＢＣＡなし、ＣＳＳ暗号化されていないタイプ、リージョンコード６の特性をもつディスクは、このディスクが元のディスクと同じビデオコンテントをもっている場合でさえ、違法なディスクである。公表者は、本発明の適切な動作のために、ディスクプロバイダにより製作されるディスクの全ての特性をもつデータベースを管理しなければならないことに留意されなければならない。
【００３０】
更に、ウェブサイトが違法なディスクを収容するプレーヤから何回ものリクエストを受け取る場合、ウェブサイトは、このプレーヤをブラックリストに載せることができ、このプレーヤからの更なるリクエスト、例えば、５回目の試み後の更なるリクエストを受け取ることを拒否することができる。
【００３１】
上記の説明は、ディスクの違法なコピーを検出するために、ディスクの特性を使用することに関する。但し、このような特性は、他のアプリケーションのために用いられることもできる。本発明の特定の実施形態において、ウェブサイトは、ディスクの特性に依存する種々の異なるタイプのＥＮＡＶコンテントを送信することが可能である。
【００３２】
例えば、本発明によるウェブサイトは、ディスクがＲＯディスクであるか、Ｒディスクであるか、又はＲＷディスクであるかを識別することが可能である。当該ディスクが合法的なＲ／ＲＷディスクである場合、ウェブサイトは、ディスクを収容する記録装置に対して、データをダウンロードし、ディスクに記憶してもよいことを許可し得る。ネットワークキャパシティが、通常、ＤＶＤ品質ビデオをストリームするには十分ではないので、その場合、ビデオデータは、Ｒ／ＲＷディスクにダウンロードされ、後ほど上記ディスクから見られることができる。
【００３３】
他の例として、本発明によるウェブサイトは、ディスクのリージョンコードを認識することが可能である。ウェブサイトは、予め決められた映画のための広告であって、当該ディスクのリージョンコードに依存する広告をもつことができる。その場合、ウェブサイトは、所与のリージョンにおいて現在観ることができる映画に対応する広告を送信することが可能である。
【００３４】
本明細書に記載される特許請求の範囲におけるいかなる参照符号も、特許請求の範囲を制限するものとして解釈されるべきでない。動詞「comprise（有する）」及びその活用形の使用が、任意の特許請求の範囲に規定されるもの以外の他のいかなるステップ又は構成要素の存在を除外しないことは明らかであろう。構成要素に先行する単数表現の冠詞「a」又は「an」は、そうした構成要素の複数の存在を排除するものではない。
【図面の簡単な説明】
【００３５】
【図１】本発明による通信システムを示すブロック図である。
【図２】ＤＶＤディスクにおけるＤＶＤディスク特性の記憶位置の樹木型（arborescence，ツリー構造）の概略図である。
【図１】
2005536822.tif 000003
【図２】
2005536822.tif 000004
【国際調査報告】
2005536822.tif 000005
2005536822.tif 000006
2005536822.tif 000007